(57)【要約】【課題】使用者が液晶部の角度を変えるたびに調整するという手間を省くことができ、液晶表示装置の起動時に毎回調整し直す必要も無くなる液晶表示装置を提供する。【解決手段】ギア５からの液晶表示パネル１の固定角度情報を制御部７に送る（矢印ｄ）。その固定角度情報を制御部７からＣＰＵ８に送る（矢印ｂ）。ＣＰＵ８では、外部の明るさに最も適したバックライト部３の輝度と、この最適なバックライト部３の輝度および固定角度情報から最も適したコントラスト濃度を割り出し、その輝度とコントラスト濃度情報をデジタル信号として再び制御部７に送る（矢印ｃ）。制御部７は、ＣＰＵ８から送られてきたデジタル信号をバックライト部３および液晶部２に送る（矢印ｅ，ｆ）。【選択図】図２
2004054061.tif 000002
【特許請求の範囲】
【請求項１】
回動させて所定角度位置で固定可能な液晶部と、該液晶部を背後から照らすバックライト部とを備えた液晶表示装置において、前記液晶部の固定した角度に基づいて前記液晶部のコントラスト濃度を調整する制御部を備えたことを特徴とする液晶表示装置。
【請求項２】
回動させて所定角度位置で固定可能な液晶部と、該液晶部を背後から照らすバックライト部と、前記液晶部に照射される明るさを計測する光センサ部とを備えた液晶表示装置において、前記光センサ部により計測された照度データによって前記バックライト部の輝度を調整するとともに、該調整後のバックライト部の輝度と前記液晶部の固定した角度に基づいて前記液晶部のコントラスト濃度を調整する制御部を備えたことを特徴とする液晶表示装置。
【発明の詳細な説明】
【０００１】
【発明の属する技術分野】
本発明は、回動させて所定角度位置で固定可能な液晶部を有する液晶表示装置に関するものである。
【０００２】
【従来の技術】
従来の液晶表示装置、例えば、回動させて所定角度位置で固定可能な液晶表示パネルを備えた複写機・ＦＡＸ・プリンタなどの電子写真を利用した画像形成装置における液晶表示パネルでは、コントラストの調整やバックライトの輝度調整を画像形成装置内部の電気回路における抵抗等の定数で決められていた。
【０００３】
さらに、可変抵抗器等を用いて使用者がコントラストの濃度やバックライトの輝度を調整できる画像形成装置も存在していた。
【０００４】
【発明が解決しようとする課題】
ところが、コントラストの濃度やバックライトの輝度を調整できる画像形成装置では、液晶部の角度や使用環境（例えば、明るい部屋での使用環境や暗い部屋での使用環境等）に応じてコントラストの濃度やバックライトの輝度を毎回調整し直さなければならないという問題があった。
【０００５】
さらには、外部の明るさによってはバックライトの輝度が殆ど必要のない場合があるが、従来は常に一定の輝度で液晶部を照らしているものが多く、無駄に電力を消費してしまうという問題があった。
【０００６】
【課題を解決するための手段】
本発明は、上記問題に鑑みてなされたものであり、回動させて所定角度位置で固定可能な液晶部と、該液晶部を背後から照らすバックライト部とを備えた液晶表示装置において、前記液晶部の固定した角度に基づいて前記液晶部のコントラスト濃度を調整する制御部を備えた液晶表示装置としたものである。
【０００７】
あるいは、回動させて所定角度位置で固定可能な液晶部と、該液晶部を背後から照らすバックライト部と、前記液晶部に照射される明るさを計測する光センサ部とを備えた液晶表示装置において、前記光センサ部により計測された照度データによって前記バックライト部の輝度を調整するとともに、該調整後のバックライト部の輝度と前記液晶部の固定した角度に基づいて前記液晶部のコントラスト濃度を調整する制御部を備えた液晶表示装置としたものである。
【０００８】
【発明の実施の形態】
以下、本発明の実施例について図面を用いて説明する。
図１は、本発明の液晶表示装置であるプリンタの上面に形成した回動可能な液晶表示パネル部分のみを示す図である。液晶表示パネル１は、液晶部２、液晶部２を背後から照らすバックライト部３、液晶表示パネル１の面に照射される明るさを計測する光センサ部４、プリンタ本体のギアと噛合して液晶表示パネル１を任意の角度で固定させるためのギア５、液晶部２のコントラスト濃度およびバックライト部３の輝度を調整するためのボリューム６よりなる。なお、この液晶表示パネル１を制御する制御部は液晶表示パネル１内部、またはプリンタ本体内部に設けている。また、プリンタ全体を制御するＣＰＵはプリンタ本体内部に設けている。
【０００９】
このような構成による液晶表示パネル１におけるコントラスト濃度およびバックライト輝度を制御部にて自動調整する一連の流れについて図２を用いて説明する。
光センサ部１は、光エネルギーを電気エネルギーに変換する素子、すなわち光起電力効果を有するフォトダイオードや、光導電効果を有する光導電体などの受光素子を用いたものであり、この光センサ部１で外部の照明（明るさ）を計測する。計測後、計測した受光量を制御部７に送り（矢印ａ）、受光量を光電変換して電圧値に変換する。得られた電圧値は、受光量によって連続的に変化するアナログ値であるため、受光した光の微小な変化に連動して電圧値も僅かに変化するようになる。
【００１０】
この僅かな変化をＣＰＵ８のアナログポートによって正確に読み取る必要があるため、この微小な変化を増幅させる必要性が出てくる。その場合は、制御部７でオペアンプなどの増幅器を用い、光電変換して得られた電圧値を増幅させ、受光量の変化による電圧値の微小な振れをＣＰＵ８が認識できるレベルまで増幅する。そして、得られた電圧値をＣＰＵ８のアナログポートに入力して外部の明るさを検知する（矢印ｂ）。
【００１１】
また、ギア５からの液晶表示パネル１の固定角度情報を制御部７に送る（矢印ｄ）。固定角度情報は、ギア５の回動により可変する可変抵抗器やギア５周辺に配設されたフォトセンサを利用する等の方法で行えばよい。そして、その固定角度情報を制御部７からＣＰＵ８に送る（矢印ｂ）。
【００１２】
ＣＰＵ８では、外部の明るさに最も適したバックライト部３の輝度と、この最適なバックライト部３の輝度および固定角度情報から最も適したコントラスト濃度を割り出し、その輝度とコントラスト濃度情報をデジタル信号として再び制御部７に送る（矢印ｃ）。制御部７は、ＣＰＵ８から送られてきたデジタル信号をデジタル可変抵抗器等の可変抵抗器を用いて、液晶表示パネル２のコントラスト濃度と、バックライト部３に使用されているＬＥＤに流す電流値を決定してバックライト部３および液晶部２に送る（矢印ｅ，ｆ）。
【００１３】
このような構成により、プリンタの起動時や、液晶表示パネル１の角度を変えた際に、使用者がコントラスト濃度やバックライトの輝度をボリューム６によっていちいち調整するような煩わしい操作が必要無くなる。
【００１４】
なお、本実施例ではＣＰＵ８を用いた制御について説明したが、ＣＰＵ８を用いずに制御部７内にコンパレータ等を複数用い、光センサ部４から送られてきた信号をデジタル信号の組合せに変換し、輝度とコントラスト濃度を制御するようにしてもよい。
【００１５】
また、液晶部２のコントラスト濃度を手動調整するコントラストボリュームと、バックライト部３の明るさを手動調整する輝度調整ボリュームとなるボリューム６は、ギア型の可変抵抗器やスライド抵抗等を用い、物理的に液晶表示パネル１の表面から可変抵抗器のギア部や、スライド抵抗のスライド部を露出させ、使用者が可変できるようにし、ＣＰＵ８や制御部７による自動調整後でもコントラスト濃度とバックライトの輝度を手動で調整できるようにすることで、より使用者が見やすい表示状態とすることができるようになる。さらに、バックライト部３の輝度の調整により、故意に消費電力を下げて使用することも可能となる。
【００１６】
また、光センサ部４による輝度自動調整機能が必要で無く、手動調整のみが必要な場合に備え、光センサ部４用のカバーを設けてもよく、あるいは自動調整機能をＯＦＦする機能を備えてもよい。
【００１７】
本実施例では、光センサ部４により計測された照度データによってバックライト部の輝度を調整するとともに、調整後のバックライト部３の輝度と液晶部２の固定角度情報に基づいて液晶部２のコントラスト濃度を調整する場合について説明したが、液晶部２の固定角度情報に基づいて液晶部２のコントラスト濃度を調整するのみであっても十分に効果を得ることができる。
【００１８】
ここで、液晶部２に半透過型のＬＣＤモジュールを使用した場合、図３に示すように、液晶表示パネル１の立設角度を０度にしているときは、半透過型のＬＣＤモジュールは照明光を反射しやすいために、バックライト部３の輝度は最小限に抑えることができる。また、図４に示すように、液晶表示パネル１の立設角度を９０度にしているときは、照明光が液晶部２に入り込みにくいために、バックライト部３の輝度を高くする必要がある。このように、バックライト部３の輝度を必要最小限に低く自動調整するできるために、消費電力を下げるように制御することが可能となる。
【００１９】
【発明の効果】
以上説明したように、本発明の画像形成装置によれば、液晶部の固定した角度に基づいて液晶部のコントラスト濃度を調整する制御部を備えたことにより、あるいは光センサ部により計測された照度データによってバックライト部の輝度を調整するとともに、調整後のバックライト部の輝度と液晶部の固定した角度に基づいて液晶部のコントラスト濃度を調整する制御部を備えたことにより、液晶部をどのような位置に固定しても自動的にコントラスト濃度やバックライト部の輝度を自動調整するため、使用者が液晶部の角度を変えるたびに調整するという手間を省くことができ、液晶表示装置の起動時に毎回調整し直す必要も無くなる。
【図面の簡単な説明】
【図１】本発明の液晶表示装置となるプリンタの液晶表示パネルを示す図である。
【図２】本発明の液晶表示装置となるプリンタの構成ブロック図である。
【図３】本発明の液晶表示装置となるプリンタの液晶表示パネルの０度固定状態を示す図である。
【図４】本発明の液晶表示装置となるプリンタの液晶表示パネルの９０度固定状態を示す図である。
【符号の説明】
１：液晶表示パネル
２：液晶部
３：バックライト部
４：光センサ部
５：ギア
６：ボリューム
７：制御部
８：ＣＰＵ
【図１】
2004054061.tif 000003
【図２】
2004054061.tif 000004
【図３】
2004054061.tif 000005
【図４】
2004054061.tif 000006